(57)【要約】【課題】  災害時の避難所において簡易に個室を構築することができる間仕切りを提供して、避難者のプライバシー保護を実現する。【解決手段】必要とする個室面積を確保する四周壁をＬ状の折曲角部を含めて四分割した幅の壁面部１に、適宜幅の重ね代部２を延設すると共に、壁面部１の下縁若しくは壁面部１及び重ね代部２の下縁に足板部３を下縁に折曲形成した段ボール板製の隔壁部材（Ａ）４個を、重ね代部２を重ね合わせて個室形成に配置すると共に、出入り口（Ｄ）となる面を除き、前記重ね合わせ部分をクリップ部材Ｂで挟持して個室（Ｃ）を構築する。【選択図】図１
0003228278.tif 000002
【実用新案登録請求の範囲】
【請求項１】
必要とする個室面積を確保する四周壁をＬ状の折曲角部を含めて四分割した幅の壁面部に、適宜幅の重ね代部を延設すると共に、壁面部の下縁若しくは壁面部及び重ね代部の下縁に足板部を下縁に折曲形成した段ボール板製の隔壁部材４個を、重ね代部を重ね合わせて個室形成に配置すると共に、出入り口となる面を除き、前記重ね合わせ部分をクリップ部材で挟持して構築してなる避難所用間仕切り。
【請求項２】
隔壁部材の幅寸法を折曲角部から端縁まで１１０ｃｍとし、構築時の重ね合わせ幅を２０ｃｍとしてなる請求項１記載の避難所用間仕切り。
【請求項３】
隔壁部材の高さ寸法を１４５〜２００ｃｍとしてなる請求項１又は２記載の避難所用間仕切り。
【考案の詳細な説明】
【技術分野】
【０００１】
本考案は、災害時に避難所で使用する間仕切りに関するものである。
【背景技術】
【０００２】
災害時の避難場所として、学校などの体育館のような屋内が利用されるが、避難者のプライバシー確保のために、適宜な間仕切りが採用されている。前記の間仕切り構築は、従前より構築が容易で且つ安価に形成される段ボール板の採用が提案されている。
【０００３】
例えば特許文献１には、隔壁となる段ボール板を立設・連結するための手段として、隔壁となる段ボール板の所定箇所に予め連結孔を形成しておき、段ボール板の連結部分を重ね合わせて連結孔に鋲体を装着して間仕切りに組み立てる構造が開示されている。また特許文献２，３には、段ボール板の端縁が嵌合装着する柱部材で間仕切りの角部を構成する構造が開示されている。
【先行技術文献】
【特許文献】
【０００４】
【特許文献１】特開２００６−３２８８３４号公報。
【特許文献２】登録実用新案３１０８５９２号公報。
【特許文献３】登録実用新案３１８８７９２号公報。
【考案の概要】
【考案が解決しようとする課題】
【０００５】
災害時には間仕切りを一時的に多数必要とし、且つ構築部材である段ボール板も予め多数備蓄している必要があり、また避難終了後には廃棄される場合もあり、隔壁となる段ボール板自体は簡易に製造されるものでなければならない。また段ボール板以外の間仕切り構築部材も簡単に確保できるものであれば緊急時にも対応できるが、別途予め製造して準備しておく場合でも緊急時に不足する恐れもある。
【０００６】
そこで本考案は、簡易に製造でき予め容易に準備することができる段ボール板と、簡単に準備できる構築部材で構成した新規な避難所用間仕切りを提案したものである。
【課題を解決するための手段】
【０００７】
本考案に係る避難所用間仕切りは、必要とする個室面積を確保する四周壁をＬ状の折曲角部を含めて四分割した幅の壁面部に、適宜幅の重ね代部を延設すると共に、壁面部の下縁若しくは壁面部及び重ね代部の下縁に足板部を下縁に折曲形成した段ボール板製の隔壁部材４個を、重ね代部を重ね合わせて個室形成に配置すると共に、出入り口となる面を除き、前記重ね合わせ部分をクリップ部材で挟持して構築してなるものである。
【０００８】
従って隔壁部材は１枚の段ボール板で形成されるので、予め所定の寸法で且つ中間部分と足板部形成用の下縁側に折曲線を形成しておき、構築時に前記折曲線に基づいて折曲し、壁面部で四周壁が形成されるように重ね代部を重ね合わせて、適宜なクリップ部材（既存品）で上縁を挟持することで簡単に個室が形成される。
【０００９】
特に独立した個室構成となるために、避難所における個室配置が例えば、各独立した配置としても、一列に並べても、また背中合わせの２列配置でも、更には出入り口を異方向となる４個１組の島配置でも任意に定めことができる。
【考案の効果】
【００１０】
本考案の構成は上記の通りで、同一形状の隔壁部材４枚と適宜数のクリップ部材で構築するもので、避難者自身でも簡単に構築分解が可能であり、且つ備品（隔壁部材及び既存品のクリップ部材）の保存も容易になし得ると共に、災害対策用品として安価に提供できるものである。
【図面の簡単な説明】
【００１１】
【図１】本考案の実施形態を示す全体斜視図。
【図２】同構築前の説明図。
【図３】同隔壁部材の展開板図。
【図４】同構築説明図。
【図５】同避難所の使用例図。
【考案を実施するための形態】
【００１２】
次に本考案の実施形態について説明する。実施形態に示した避難所用間仕切りは、隔壁部材Ａとクリップ部材Ｂで構成され、隔壁部材Ａは段ボール板で所定の形状に裁断して形成したもので、クリップ部材は文房具などで使用されているタプルクリップのような既存品である。
【００１３】
段ボール板で形成した隔壁部材Ａは、１個室の構築に４枚使用するものであり、展開図は図３の通りで、形成しようとする個室Ｃの間仕切りとなる四周壁を形成する壁面部１と、重ね代部２と、足板部３を備えたものである。
【００１４】
さらに詳細に説明すると、構築しようとする個室面積を２００×２００ｃｍで高さを１４５ｃｍと設定すると、壁面部１及び重ね代部２を合わせた幅、コーナー折曲線４を挟んで各１１０ｃｍとし、重ね代部２の幅は２０ｃｍとする。
【００１５】
また足板部３は、壁面部１と重ね代部２の各下縁に足板折曲線５を挟んで幅１０ｃｍ程度設けたものである。尚前記の各寸法は任意であるが、前記した数値は最低限必要とする目安である。
【００１６】
前記隔壁部材Ａを用いて個室Ｃを構築するには、コーナー折曲線４及び足板折曲線５の箇所で各々９０度折り曲げ、構築する個室Ｃの四周壁となるように配置し（図２）、各隔壁部材Ａの壁部１の端縁の重ね代部２を重ね合わせ、重ね合わせ部分をクリップ部材Ｂで挟持し、連結した壁面部１で個室Ｃの四周壁とし、特に一面においては、重ね代部２をクリップ部材Ｂで止めず、出入り口Ｄとなる開閉壁部１ａとするものである。
【００１７】
構築した個室Ｃは、体育館などの避難所において適宜配置して、避難者の個室として使用するものである。
【００１８】
従って多数の隔壁部材Ａを災害用として多数枚備蓄すると共に、必要とするクリップ部材Ｂを準備しておくことで、災害時の避難場所に行政従事者は勿論のこと避難者自身でも簡単に構築できるので、災害時の避難者のプライバシー保護を簡単に実現することができ、プライバシー保護の面から避難を嫌がるものに対しても避難を促す契機となる。
【符号の説明】
【００１９】
１    壁面部
１ａ  開閉壁部
２    重ね代部
３    足板部
４    コーナー折曲線
５    足板折曲線
Ａ    隔壁部材
Ｂ    クリップ部材
Ｃ    個室
Ｄ    出入り口
【図１】
0003228278.tif 000003
【図２】
0003228278.tif 000004
【図３】
0003228278.tif 000005
【図４】
0003228278.tif 000006
【図５】
0003228278.tif 000007